(57)【特許請求の範囲】
【請求項１】
それぞれが管部材（２８）に連通する配管接続口（２７）を備えた複数個のヘッダー単位体（２９）を、それの配管接続口（２７）が互いに相対回転可能に且つ管部材（２８）が連結手段（３０）を介して互いに水密状になるように連通連結して成る配管ヘッダーであって、配管接続口（２７）を管部材（２８）に一体に連通連設し、管部材（２８）どうしの連結手段（３０）として、一方の管部材（２８）の一端側管部（２８ａ）に環状のテーパー隆状部（３２）を膨出させ、内向きフランジ（３５）を連設した筒状の嵌合部材（３４）と第１の金属リング（３７）とを、内向きフランジ（３５）と金属リング（３７）の順にテーパー隆状部（３２）を通過させるように、管部材（２８）の一端側管部（２８ａ）に外嵌合させ、テーパー隆状部（３２）に係止可能な環状凹部（４０）が形成された筒部材（３９）を、環状凹部（４０）がテーパー隆状部（３２）に係止するまで、前記一端側管部（２８ａ）と嵌合部材（３４）との間に圧入させて、筒部材（３９）を抜け出し不能の状態で回転可能と成し、前記嵌合部材（３４）の内周面には、他方の管部材（２８）の他端側管部（２８ｂ）を螺着するための雌ねじ（３８）を形成し、一端側管部（２８ａ）に対して、止水手段（４１）及び第２の金属リング（４２）を交互に複数個ずつ外嵌合することで管部材（２８）どうしを水密状になし、かつ、一端側管部（２８ａ）の端面と他方の管部材（２８）との間に第３の金属リング（４５）を介在させて、前記嵌合部材（３４）に対する他方の管部材（２８）の螺着に伴って、前記嵌合部材（３４）の内向きフランジ（３５）と筒部材（３９）の間に第１の金属リング（３７）を、一端側管部（２８ａ）の端面と他端側管部（２８ｂ）の段部端面との間に第３の金属リング（４５）をそれぞれ挟着させるように構成するとともに、配管接続口（２７）を一体に連通連設した管部材（２８）と、嵌合部材（３４）、及び、筒部材（３９）のそれぞれを合成樹脂製にしてあることを特徴とする配管ヘッダー。
【請求項２】
請求項１に記載の配管ヘッダーにおけるヘッダー単位体の配管接続口に、合成樹脂製のフレキシブルな分岐用配管を、一単位当たりの設備配管の施工長さに切断して接続し、この分岐用配管を巻き取って配管の施工現場に搬入できるように構成して成ることを特徴とする配管ユニット。
【発明の詳細な説明】
【０００１】
【発明の属する技術分野】
本発明は、複数個の配管接続口を備えた配管ヘッダーと、この配管ヘッダーをを用いて構成される配管ユニットに関するものである。
【０００２】
【従来の技術】
例えば、住宅等の給水や給湯、或いは、給水・給湯（以下、給水・給湯という。）の設備配管に際して、各給水・給湯口に均一に水・湯を供給するために、配管ヘッダーを介して各給水・給湯口に配管を施工する手段がとられている。
【０００３】
即ち、一般的には、給水の設備配管として、水道メーターから住戸内に給水用の主配管を引き込み、配管ヘッダーを介して、キッチンや洗面台、洗濯機、浴室、トイレなどの各所の水栓設備に配管を施工し、給湯の設備配管としては、水道メーターから湯沸器に配管を施工して、この湯沸器からの主配管を配管ヘッダーに接続して、この配管ヘッダーを介して、キッチンや洗面台、浴室などの各所の水栓設備に配管を施工している。
【０００４】
【発明が解決しようとする課題】
このような設備配管に用いられる従来の配管ヘッダーは、図１１に示すように、複数個の配管接続口８１を、同方向に備えた鋳造製のものであったり、或いは、金属製のブロックにヘッダー室を形成して、このヘッダー室に複数個の配管接続口を加工したりしたものであって、設備配管の本数に応じて配管ヘッダーを鋳造または加工していることから、配管ヘッダーのコストが非常に高くつくものであった。
【０００５】
一方で、配管の施工方向は、水平方向で互いに異なる方向や、下向きや上向きなど雑多であり、これに対して、従来の配管ヘッダー８２にあっては、配管接続口８１が固定されたものであることから、配管の接続方向によっては、配管８３がホース製の場合は、このホースを曲げて、或いは、配管８３が硬質管の場合はエルボなどを用いて、配管８３を迂回させる接続手段をとらざるを得ないのであった。
【０００６】
新たに水栓設備を設置した場合の設備配管の追加工事に際しては、水または湯の均一供給を期する上で、配管接続口を増やした配管ヘッダーを別途用意して、これを旧設備配管の配管ヘッダーと交換する等の大掛かりな作業を必要としたのである。
【０００７】
旧設備配管の配管ヘッダーをそのまま使用する時は、そのヘッダーに接続されている配管にチーズなどを取り付けて、これに接続の分岐配管に増設の水栓設備を接続することになるが、これでは水または湯の均一供給ができなくなることがある。
【０００８】
また、フレキシブルな合成樹脂製の配管を分岐施工する場合、予め工場で、このフレキシブルな分岐用の配管を、例えば一住戸当たりの設備配管の施工長さに切断して、これを配管ヘッダーの配管接続口に接続し、かつ適宜、分岐用配管をコンパクトに巻き取って、配管ユニットを製作し、これを配管の施工現場に搬入して、所謂ユニット配管の形態をとる場合、この配管ユニットを天井配管する際には、配管ヘッダーの取り付けに苦労をしていた。
【０００９】
即ち、配管ユニットの天井施工に際しては、先ずは、配管ヘッダーを天井８４の所定位置に固定することから開始され、次いで、この配管ヘッダーに接続された各種の配管を逐次天井に固定しながら、この配管を最終的に水栓設備に接続するのである。
【００１０】
しかし、配管ユニットの全体を持ち上げつつ、最初に配管ヘッダーを天井に固定する際には、図１２に示すように、異なる方向に向けて接続された各種配管８３の重みが、配管ヘッダー８２を回転させるように掛かることから、この固定作業は、一人では極めて困難であり、場合によっては数人掛かりの作業が余儀なくされるのであった。
【００１１】
更には、配管の接続方向が互いに異なる場合は、フレキシブルな配管を個々に巻き取っても、これが配管ヘッダーの両側に張り出すことから、或いは、フレキシブルな配管を迂回させて、これを他の配管に纏めるようにしても、纏まり形が立体的になることから、配管ユニットをコンパクトに纏め切ることができないのであった。
【００１２】
本発明は、上記の従来欠点に鑑みてなされたものであって、その目的とするところは、施工の向きに応じて配管を曲げるような迂回の形態をとらずとも、配管を所定通りに接続することが可能である上に、水栓設備の増設に対しても簡易に対応できる配管ヘッダーと、天井へのユニット配管の形態をとる場合であっても、その配管作業を一人または少ない人手で難なく施工できる上に、コンパクトに纏めることが可能で、しかも、赤水や結露が好適に抑止される配管ユニットとを提供することにある。
【００１３】
【課題を解決するための手段】
上記の目的を達成するために、本発明が講じた技術的手段は、次の通りである。即ち、請求項１記載の発明では、それぞれが管部材に連通する配管接続口を備えた複数個のヘッダー単位体を、それの配管接続口が互いに相対回転可能に且つ管部材が連結手段を介して互いに水密状になるように連通連結して、複数個の配管接続口を備えた配管ヘッダーを構成している。
【００１４】
そして、配管接続口を管部材に一体に連通連設し、管部材どうしの連結手段としては、請求項１に記載したように、一方の管部材の一端側管部に環状のテーパー隆状部を膨出させ、内向きフランジを連設した筒状の嵌合部材と第１の金属リングとを、内向きフランジと金属リングの順にテーパー隆状部を通過させるように、管部材の一端側管部に外嵌合させ、テーパー隆状部に係止可能な環状凹部が形成された筒部材を、環状凹部がテーパー隆状部に係止するまで、前記一端側管部と嵌合部材との間に圧入させて、筒部材を抜け出し不能の状態で回転可能と成し、前記嵌合部材の内周面には、他方の管部材の他端側管部を螺着するための雌ねじを形成し、一端側管部に対して、止水手段及び第２の金属リングを交互に複数個ずつ外嵌合することで管部材どうしを水密状になし、かつ、一端側管部の端面と他方の管部材との間に第３の金属リングを介在させて、前記嵌合部材に対する他方の管部材の螺着に伴って、前記嵌合部材の内向きフランジと筒部材の間に第１の金属リングを、一端側管部の端面と他端側管部の段部端面との間に第３の金属リングをそれぞれ挟着させるように構成するとともに、配管接続口を一体に連通連設した管部材と、嵌合部材、及び、筒部材のそれぞれを合成樹脂製にしてある。
【００１５】
【００１６】
【００１７】
上記構成の配管ヘッダーによれば、配管接続口を個々に回転させて、この配管接続口の向きを配管の施工向きに合わせることで、配管を曲げるような迂回の形態をとらずとも、配管を所定通りに接続することが可能となる。
【００１８】
配管ヘッダーの組み立てに際しては、設備配管の配管本数に合わせて、ヘッダー単位体の連結数を設定するだけで、必要規模の配管ヘッダーを得ることができ、配管の本数に合わせて鋳造したり加工したりする従来の配管ヘッダーに比較して、配管ヘッダーの大幅なコストダウンが達成される。
【００１９】
水栓設備の増設に際しては、その増設数に応じてヘッダー単位体を追加接続するだけで、旧の配管ヘッダーを無駄にすることなく、この旧の配管ヘッダーを、水または湯の均一供給を期し得る配管ヘッダーに、簡易かつ安価に組み換えることができる。
【００２０】
天井へのユニット配管の形態をとる場合は、各種配管が接続された配管ヘッダーを持ち上げると、ヘッダー単位体の配管接続口は、これに接続された配管の重みによって回転することで、配管ヘッダーには、これを回転させるように各種配管の重みが掛からなくなる。
【００２１】
従って、配管ヘッダーを所定の固定姿勢に維持させることが容易になることから、天井へのユニット配管の作業を、一人作業で又は少ない人手で難なく施工することが可能となる。
【００２２】
殊に、請求項１に記載の発明によれば、一方の管部材の一端側管部に環状のテーパー隆状部を膨出させ、内向きフランジを連設した筒状の嵌合部材と第１の金属リングとを、内向きフランジと金属リングの順にテーパー隆状部を通過させるように、管部材の一端側管部に外嵌合させ、テーパー隆状部に係止可能な環状凹部が形成された筒部材を、環状凹部がテーパー隆状部に係止するまで、前記一端側管部と嵌合部材との間に圧入させて、筒部材を抜け出し不能の状態で回転可能と成し、前記嵌合部材の内周面には、他方の管部材の他端側管部を螺着するための雌ねじを形成し、一端側管部に対して、止水手段及び第２の金属リングを交互に複数個ずつ外嵌合することで管部材どうしを水密状になし、かつ、一端側管部の端面と他方の管部材との間に第３の金属リングを介在させて、前記嵌合部材に対する他方の管部材の螺着に伴って、前記嵌合部材の内向きフランジと筒部材の間に第１の金属リングを、一端側管部の端面と他端側管部の段部端面との間に第３の金属リングをそれぞれ挟着させるように構成一方の管部材の一端側管部に環状のテーパー隆状部を膨出させ、テーパー隆状部に係止する環状凹部が形成された筒部材を、環状凹部がテーパー隆状部に係止するまで、前記一端側管部と嵌合部材との間に圧入させて、筒部材を抜け出し不能の状態で回転可能と成し前記嵌合部材に対する他方の管部材の螺着に伴って、前記嵌合部材の内向きフランジと筒部材の間に第１の金属リングを、一端側管部の端面と他端側管部の段部端面との間に第３の金属リングをそれぞれ挟着させるように構成したので、次の作用効果が得られることになる。
即ち、上記の構成によれば、嵌合部材を他端側管部に螺嵌することで、嵌合部材の内向きフランジが一端側管部に対し抜け出し不能の状態で回転する筒部材を介して隣のヘッダー単位体の管部材を引き込み、ヘッダー単位体どうしを相対回転し得る状態に連結することになるので、ヘッダー単位体どうし（連結されるヘッダー単位体の管部材どうし）を軸芯方向へのガタツキや抜け出しを防止するためには、嵌合部材が緩まないように強固に締め付ける必要がある。その場合、内向きフランジと筒部材、あるいは一端側管部の端面と他端側管部の段部端面とが直接当接すると、当接部での摩擦によってヘッダー単位体が回転しなくなることがある。その点、請求項１に記載の発明では、管部材、筒部材、嵌合部材をそれぞれ樹脂製とする一方、前記嵌合部材の内向きフランジと筒部材との間に第１の金属リングを、一端側管部の端面と他端側管部の段部端面との間に第３の金属リングを、それぞれ挟着させることで、摩擦を軽減することができ、嵌合部材を強固に締め付けても、ヘッダー単位体どうしを滑らかに回転させることができるのである。
また、請求項１に記載の発明では、一端側管部に対して、止水手段（例えばＯリング）及び第２の金属リングを交互に複数個ずつ外嵌合することで管部材どうしを水密状にしたので、止水手段の両側に位置する第２の金属リングによって止水手段の異常な弾性変形が防止されており、管部材どうしの連結部に回転や曲げの力が加わったときに止水手段が異常にひずむことを防止して、安定した水密性を保つことができることになる。
尚、配管ヘッダーの構成部材の材質は、一切特定されるものではないが、請求項１に記載の発明では、管部材、嵌合部材、筒部材などの主要構成部材を合成樹脂製にしたので、発錆がないことから赤水の発生が防止される上に、冬期の結露を抑止できる配管ヘッダーを得ることができる。
【００２３】
即ち、配管ヘッダーが金属製である場合は、熱還流抵抗が低いことから、冬期において配管ヘッダーに冷水が供給されると、室内の温度が高いために、ヘッダー表面に結露が生じることがあり、これを防止するためには、ヘッダーまわりを断熱材で覆う必要があるが、配管ヘッダーの主要構成部材を合成樹脂製にすれば、熱還流抵抗が高いことから、特にヘッダーまわりを断熱材で覆わずとも、結露を抑止できる利点がある。
【００２４】
請求項２記載の発明では、請求項１に記載の配管ヘッダーにおけるヘッダー単位体の配管接続口に、合成樹脂製のフレキシブルな分岐用配管を、一単位当たりの設備配管の施工長さに切断して接続し、この分岐用配管を巻き取って配管の施工現場に搬入搬入できるように配管ユニットを構成している。
【００２５】
かゝる構成の配管ユニットによれば、天井へのユニット配管の形態をとる場合であっても、その作業を、一人作業又は少ない人手で難なく施工できる上に、ヘッダー単位体を回転させることで、これに接続のフレキシブルな配管を一纏めにすることが可能になることから、配管ユニットのコンパクト化が達成され、しかも、配管ユニットの全体を合成樹脂製にするので、赤水の発生が防止される上に、冬期の結露も効果的に抑止される。
【００２６】
【発明の実施の形態】
以下、本発明の実施の形態を図面に基づいて説明する。図１は給水・給湯の設備配管系統図を示しており、図中の１は給水共用竪管、２は給水共用竪管１からの分岐管３に接続された水道メーター、４は水道メーター２から住戸内に引き込まれた給水用の主配管、５は給水用主配管４からの分岐管６に接続された湯沸器、７は湯沸器５からの給湯用の主配管である。
【００２７】
給水用ならびに給湯用の主配管４，７には、それぞれ配管ヘッダー８Ａ，８Ｂが接続され、給水用配管ヘッダー８Ａには、キッチン９、洗面台１０、洗濯機１１、浴室１２、トイレ１３などの各所の水栓設備１４〜１８に対するホース製の給水配管１９〜２３が、水栓設備１４〜１８の配置向きに応じて、水平方向で互いに異なる方向に接続されている。
【００２８】
給湯用配管ヘッダー８Ｂにも、キッチン９、洗面台１０、浴室１１などの各所の水栓設備１４，１５，１７に対するホース製の給湯配管２４〜２６が、水栓設備１４，１５，１７の配置向きに応じて、水平方向で互いに異なる方向に接続されている。
【００２９】
給水用ならびに給湯用の配管ヘッダー８Ａ，８Ｂは、配管接続本数が異なるものの、構成的には同じであることから、この内の給水用配管ヘッダー８Ａについて、その具体的な構造を図２及び図３に基づいて説明する。
【００３０】
この配管ヘッダー８Ａは、配管接続口２７を一体に連通連設した合成樹脂製の管部材２８をヘッダー単位体２９として、この複数個のヘッダー単位体２９の管部材２８を、連結手段３０を介して互いに相対回転可能に且つ水密状に連通連結させて成る。
【００３１】
ヘッダー両端の管部材２８は、一端側に接続用開口が形成されたエルボタイプであり、ヘッダー中間部の管部材２８は、両端に接続用開口が形成されたチーズタイプであって、一端側のヘッダー単位体２９を主配管４の接続用とし、残りのヘッダー単位体２９を各種配管１９〜２３の接続用として、それぞれの配管接続口２７に管継手３１を設けている。
【００３２】
従って、配管ヘッダー８Ａの組み立てに際して、設備配管１９〜２３の配管本数に合わせて、ヘッダー単位体２９の連結数を設定するだけで、必要規模の配管ヘッダー８Ａを得ることができ、水栓設備の増設に際しては、その増設数に応じてヘッダー単位体２９を追加接続するだけで、旧の配管ヘッダー８Ａを無駄にすることなく、水または湯を均一供給できる配管ヘッダー８Ａに組み換えることができる。
【００３３】
尚、配管ヘッダー８Ａの内、１個のヘッダー単位体２９において、管部材２８に２個の配管接続口２７，２７を平行に連設させているが、水平方向で互いに異なる方向に連設させてもよく、１個であってもよいのである。
【００３４】
連結手段３０において、一方の管部材２８の一端側管部２８ａの外周面に、配管接続口２７側ほど順次大径になるテーパー隆状部３２を複数個膨出させ、このテーパー隆状部３２に対して配管接続口２７側に環状の受け座３３を膨出させ、かつ、この環状受け座３３に相対峙するテーパー隆状部３２の面部を、管部２８ａの管軸線に対して直交させている。
【００３５】
合成樹脂製の嵌合部材３４に内向きフランジ３５を連設し、この内向きフランジ３５の内端面に形成した凹部３６には、第１金属リング３７を嵌め込み、嵌合部材３４の内周面には雌ねじ３８を形成し、この嵌合部材３４を、それの内向きフランジ３５をテーパー隆状部３２を通過させて、一端側管部２８ａに外嵌合させている。
【００３６】
合成樹脂製の筒部材３９に、テーパー隆状部３２に抜け止め係止される環状凹部４０を形成し、かつ、テーパー隆状部３２を弾性変形させつつ、環状凹部４０をテーパー隆状部３２に抜け止め係止させるように、この筒部材３９を、一端側管部２８ａと嵌合部材３４との間に無理に圧入させて、一端側管部２８ａに対して嵌合部材３４を回転可能と成し、この後、止水手段（例えばＯリング）４１を弾性変形させつつ、止水手段４１と第２の金属リング４２とを、一端側管部２８ａに交互に外嵌合させている。
【００３７】
他方の管部材２８の他端側管部２８ｂの外周面に、嵌合部材３４の雌ねじ３８に螺合する雄ねじ４３を形成し、この他端側管部２８ｂの内径を、一端側管部２８ａの外径よりも大と成して段部を形成し、この段部の端面部に形成した凹部４４には、第３の金属リング４５を嵌め込み、前記嵌合部材３４に対して、止水手段４１を撓み変形させつつ、他方の管部材２８の他端側管部２８ｂを螺着し、この螺着に伴って、内向きフランジ３５と筒部材３９との間で、かつ、一端側管部２８ａの端面と他端側管部２８ｂの段部端面との間で、それぞれ第１及び第３の金属リング３７，４５挟着させている。
【００３８】
上記の構成によれば、連結部一方の管部材２８の一端側管部２８ａに対して、連結部他方の管部材２８が、嵌合部材３４と一体になって、相対回転可能に且つ水密状に連通連結される。
【００３９】
従って、配管接続口２７を個々に回転させて、この配管接続口２７の向きを各種配管１９〜２３の施工向きに合わせることで、配管を曲げるような迂回の形態をとらずとも、配管１９〜２３を所定通りに接続することが可能となる。
【００４０】
各種配管１９〜２３をフレキシブルな合成樹脂製にして、これを配管ヘッダー８Ａに分岐接続する形態をとる場合において、図４に示すように、このフレキシブルな配管１９〜２３を予め工場で、例えば一住戸当たりの設備配管の施工長さに切断し、これを配管ヘッダー８Ａの配管接続口２７に接続して、適宜ヘッダー単位体２９を回転させ、かつ、配管１９〜２３を個々に又は一纏めに巻き取ることで、コンパクトな配管ユニットＵを得ることができる。
【００４１】
従って、配管ユニットＵがコンパクトであることから、施工現場への搬入が容易であり、また、この配管ユニットＵを現場で天井に施工する場合であっても、配管ヘッダー８Ａを持ち上げると、ヘッダー単位体２９の配管接続口２７が、これに接続された配管１９〜２３の重みによって回転することから、配管ヘッダー８Ａには、これを回転させるように配管１９〜２３の重みが掛からなくなることで、配管ヘッダー８Ａを所定の固定姿勢に維持させることが容易となり、天井へのユニット配管の作業を、一人作業又は少ない人手で難なく施工することができる。
【００４２】
上記の配管ユニットＵにおける分岐用の各種配管１９〜２３は、配管接続口２７に水密状に連通連結される、例えばポリブデンや架橋ポリエチレン等の軟質管１９ａと、この軟質管１９ａに巻き付けた発泡樹脂製のシート状の緩衝部材１９ｃと、蛇腹状の樹脂製保護さや管１９ｂとから成り、配管ユニットＵの全体を合成樹脂製としているので、赤水が発生することはなく、かつ、冬期の結露も抑止できる。
【００４３】
尚、上記の配管ユニットＵにおいて、軟質管１９ａの端部を、保護さや管１９ｂの端部から一部突出させて、これを水栓設備１４〜１８に対する接続部としており、軟質管１９ａの交換に際しては、この軟質管１９ａのみを引き抜いて、新しい軟質管１９ａを緩衝部材１９ｃに差し込むことで、交換が簡易に達成される。
【００４４】
上記構成の配管ヘッダー８Ａにおいて、一端側のヘッダー単位体２９を主配管４の接続用として、それの配管接続口２７に主配管４を接続させているが、中間部のヘッダー単位体２９を主配管４の接続用としてもよいのであり、また、一端側のヘッダー単位体２９の管部材２８を、中間部のヘッダー単位体２９の管部材２８と同様にチーズタイプにして、それの一方の接続用開口に主配管４を接続させるようにしてもよいのである。
【００４５】
図５に示すように、エルボタイプの管部材４６の両端開口部の構造を、上記構成のヘッダー単位体２９と同じに構成したものを継手管部材４７として、この継手管部材４６の両側に、上記構成の連結手段３０を介して、ヘッダー単位体２９の管部材２８を互いに相対回転可能に且つ水密状に連通連結させることで、配管ヘッダー８ＡをＬ字状に構成することができる。
【００４６】
このように構成した場合は、主配管４や各種配管１９〜２３の向きが、９０度異なる方向であっても、これらを接続することが一層容易な配管ヘッダー８Ａを得ることができるが、この他にも、ストレートの継手管部材を設けて、この継手管部材を、例えば天井などに取り付けるようにしてもよいのである。
【００４７】
配管ヘッダー８Ａの異なる実施の形態を図６に示している。この配管ヘッダー８Ａは、配管接続口５１を回転可能に備えた複数個のヘッダー単位体５２を、互いに互いに水密状に連通連結して成る。
【００４８】
具体的には、図７に示すように、ヘッダー単位体５２として、合成樹脂製のストレート管部材５３に対して、それの一端部に雄ねじ５４を且つ他端部に雌ねじ５５を形成し、雌ねじ４５側の受け座５６に形成した凹部５７には、金属リング５８を嵌め込み、管軸線方向で適宜の間隔を隔てて形成した管部材５３周部の凹部５９，５９には、止水手段（例えばＯリング）６０を嵌め込み、この止水手段５９，５９間には環状凹部６１を形成し、この環状凹部６１を管部材５３の内部に連通させる流路６２を形成している。
【００４９】
配管接続口５１を連設した管体６３を、止水手段５９，５９を撓み変形させつつ、その一方の端面を金属リング５８に当接させるように管部材５３に外嵌合させて、止水手段５９，５９と環状凹部６１と管体６３とによって、連通流路６２を配管接続口５１に連通させる環状の止水空間Ｐを形成し、管部材５３の他方の端面に形成した凹部６４に金属リング６５を嵌め込み、管部材５３の雄ねじ５５にナット部材６６を螺着して、受け座５６と管体６３とナット部材６６とによって、２個の金属リング５８，６５を挟着し、配管接続口５１を備えた管体６３を、管部材５３に対して水密状態で相対回転可能と成している。
【００５０】
かゝる構成のヘッダー単位体５２の複数個を、パッキンなどの止水手段６７を介して順次連結し、両端のヘッダー単位体５２の開口を、パッキンなどの止水手段６８を介してキャップ６９とプラグ７０とにより閉塞することで、互いに直結された管部材５３群に対して、それぞれ配管接続口５１を個々に相対回転可能に備えた配管ヘッダー８Ａが構成される。
【００５１】
上記構成の配管ヘッダー８Ａにおいて、一端側のヘッダー単位体５２を主配管４の接続用とし、残りのヘッダー単位体５２を各種配管１９〜２３の接続用としているが、中間部のヘッダー単位体５２を主配管４の接続用としてもよいのであり、一端側のヘッダー単位体５２に設けたキャップ６９または他端側のヘッダー単位体５２に設けたプラグ７０を取り外して、その管部材５３の接続開口に主配管４を接続させてもよいのである。
【００５２】
図示はしないが、図５に示した構成のように、合成樹脂製のエルボタイプの継手管部材の両側に、ヘッダー単位体の管部材を水密状に連通連結させることで、配管ヘッダーをＬ字状に構成することができ、これによって、主配管や各種配管の向きが、９０度異なる方向であっても、これらを接続することが一層容易な配管ヘッダーを得ることができる。
【００５３】
また、継手管部材としてチーズタイプのものを用いて、この継手管部材の両側に、ヘッダー単位体の管部材を水密状に連通連結させることで、継手管部材の残りの開口を主配管の接続用とするＴ字状の配管ヘッダーを構成することができるのであり、ストレートの継手管部材を用いて、この継手管部材を、例えば天井などに取り付けるようにしてもよいのである。
【００５４】
異なる実施の形態によるヘッダー単位体７１を図８に示している。このヘッダー単位体７１は、合成樹脂製の管部材７２に配管接続口７３を一体に連通連設して成るもので、このヘッダー単位体７１の複数個を、連結手段７４を介して互いに相対回転可能に且つ水密状に連通連結することで、配管ヘッダー８Ａが構成される。
【００５５】
具体的には、図９および図１０に示すように、ヘッダー単位体７１，７１を互いに嵌合連結するように、ヘッダー単位体７１の管部材７２の一端側に小径管部７２ａを形成し、管部材７２の他端側には、連結すべき隣のヘッダー単位体７１の小径管部７２ａを内嵌合させる大径管部７２ｂを形成して、隣り合うヘッダー単位体７１，７１を、止水手段（例えばＯリング）７５と金属リング７６とを介して互いに水密状に嵌合連結させるようにしている。
【００５６】
この嵌合連結に際して、小径管部７２ａと大径管部７２ｂとの嵌合部間に、所定の嵌合状態で互いに相対峙する環状凹部７７，７８を形成し、この環状凹部７７，７８間に、内径が小径管部７２ａの外径よりも小で且つ外径が大径管部７２ｂの内径よりも大であって、しかも、弾性縮径下での外径が大径管部７２ｂの内径よりも小になる割りリング７９を介在させるようにしている。
尚、割りリング７９には、大径管部７２ｂのエッジに対応するリング面部をカム面Ｓに形成している。
【００５７】
上記の構成において、割りリング７９を小径管部７２ａの環状凹部７７に嵌め込んで、小径管部７２ａを大径管部７２ｂに押し込むと、この押し込みに伴って大径管部７２ｂのエッジが割りリング７９のカム面Ｓを押圧することで、割りリング７９は一旦は縮径し、小径管部７２ａの環状凹部７７と大径管部７２ｂの環状凹部７８とが一致した時点で、割りリング７９が弾性的に拡径して、その一部が大径管部７２ｂの環状凹部７８に入り込むことで、環状凹部７７，７８への割りリング７９の所謂嵌め殺しの状態で、ヘッダー単位体７１，７１が互いに嵌合連結されることになる。
【００５８】
上記した各種構成の配管ヘッダー８Ａにおいて、それらの主要な構成部材、即ち、管部材２８，５３、嵌合部材３４、筒部材３９、継手管部材４７を、熱還流抵抗が高い合成樹脂製としているので、特にヘッダーまわりを断熱材で覆わずとも、結露を抑止できる利点があるが、上記した主要構成部材の全て又は一部を金属製にしてもよいのであり、特に、結露の心配がない地域を対象にしての配管ヘッダーにあっては、主要構成部材の全てを金属製にしても何ら問題はないのである。
【００５９】
【発明の効果】
以上説明したように、本発明によれば、施工の向きに応じて配管を曲げるような迂回の形態をとらずとも、配管を所定通りに接続することが可能である上に、水栓設備の増設に対しても簡易に対応できる配管ヘッダーが提供される。
【００６０】
また本発明によれば、天井へのユニット配管の形態をとる場合であっても、その配管作業を一人または少ない人手で難なく施工できる上に、コンパクトに纏めることが可能であり、しかも、赤水や結露が好適に抑止される配管ユニットが提供される。
【図面の簡単な説明】
【図１】  給水・給湯の設備配管の系統図である。
【図２】  一部のヘッダー単位体を断面図示した配管ヘッダーの全体図である。
【図３】  連結手段を示す断面図である。
【図４】  配管ユニットの構成図である。
【図５】  配管ヘッダーの変形構造を示す全体図である。
【図６】  異なる実施の形態による配管ヘッダーの全体図である。
【図７】  図６に示した配管ヘッダーにおけるヘッダー単位体の断面図である。
【図８】  別の実施の形態によるヘッダー単位体の断面図である。
【図９】  ヘッダー単位体の一端側管部に嵌め込む割りリングの斜視図である。
【図１０】  （Ａ）は大径管部のエッジによる縮径初期の状態を示す割りリングの断面図、（Ｂ）は割りリングによるヘッダー単位体の連結状態を示す断面図である。
【図１１】  配管接続口に配管を接続した従来例の配管ヘッダーの全体図である。
【図１２】  配管の重みで配管ヘッダーが回転する状態を示す説明図である。
【符号の説明】
２７，５１，７３…配管接続口、２８，５３，７２…管部材、２８ａ，７２ａ…一端側管部、２８ｂ，７２ｂ…他端側管部、２９，５２，７１…ヘッダー単位体、３０，７４…連結手段、３２…テーパー隆状部、３４…嵌合部材、３５…内向きフランジ、３７，４２，４５，７６…金属リング、３９…筒部材、４０，７７，７８…環状凹部、４１，５９，７５…止水手段、４３…雄ねじ、４７…継手管部材、６２…連通流路、６３…管体、７９…割りリング、Ｐ…止水空間、Ｕ…配管ユニット。
【図１】
0003923149.tif 000002
【図２】
0003923149.tif 000003
【図３】
0003923149.tif 000004
【図４】
0003923149.tif 000005
【図５】
0003923149.tif 000006
【図６】
0003923149.tif 000007
【図７】
0003923149.tif 000008
【図８】
0003923149.tif 000009
【図９】
0003923149.tif 000010
【図１０】
0003923149.tif 000011
【図１１】
0003923149.tif 000012
【図１２】
0003923149.tif 000013